(57)【要約】【課題】前後の判断がつきやすい使い捨ておむつを提供する。【解決手段】縦方向と、前記縦方向と交差する横方向と、を有した吸収性物品であって、前記縦方向に沿って設けられ、排泄物を吸収する吸収性本体と、前記横方向に沿って設けられ、前記吸収性本体の前記縦方向の一端部を前記吸収性本体の非肌側から覆いながら前記一端部に前記横方向の中央部が固定された腹側帯部材と、前記腹側帯部材とは別部材として前記横方向に沿って設けられ、前記吸収性本体の前記縦方向の他端部を前記吸収性本体の非肌側から覆いながら前記他端部に前記横方向の中央部が固定された背側帯部材と、を有し、前記背側帯部材の前記縦方向の長さは、前記腹側帯部材の前記縦方向の長さよりも長く、前記腹側帯部材及び前記背側帯部材には、前記横方向に沿って伸縮する弾性部材がそれぞれ配置され、前記腹側帯部材と前記吸収性本体とが重なる少なくとも１部分において、前記弾性部材が切断された箇所を有する。【選択図】図３
2015188501.tif 000002
【特許請求の範囲】
【請求項１】
縦方向と、前記縦方向と交差する横方向と、を有した吸収性物品であって、
前記縦方向に沿って設けられ、排泄物を吸収する吸収性本体と、
前記横方向に沿って設けられ、前記吸収性本体の前記縦方向の一端部を前記吸収性本体の非肌側から覆いながら前記一端部に前記横方向の中央部が固定された腹側帯部材と、
前記腹側帯部材とは別部材として前記横方向に沿って設けられ、前記吸収性本体の前記縦方向の他端部を前記吸収性本体の非肌側から覆いながら前記他端部に前記横方向の中央部が固定された背側帯部材と、を有し、
前記背側帯部材の前記縦方向の長さは、前記腹側帯部材の前記縦方向の長さよりも長く、
前記腹側帯部材及び前記背側帯部材には、前記横方向に沿って伸縮する弾性部材がそれぞれ配置され、
前記腹側帯部材と前記吸収性本体とが重なる少なくとも１部分において、前記弾性部材が切断された箇所を有する、ことを特徴とする吸収性物品。
【請求項２】
請求項１に記載の吸収性物品であって、
前記吸収性本体の前記縦方向の一端側端部から前記腹側帯部材の前記縦方向の上側端部までの長さと、前記吸収性本体の前記縦方向の他端側端部から前記背側帯部材の前記縦方向の上側端部までの長さとが異なる、ことを特徴とする吸収性物品。
【請求項３】
請求項１または２に記載の吸収性物品であって、
前記吸収性本体は、液体を吸収する素材が所定の厚さに積層されてなる吸収性コアを有し、
前記腹側帯部材の前記横方向中央部で前記吸収性本体と重ならない領域であって、前記横方向の一端側から他端側に亘って前記弾性部材が伸長された状態で配置された領域と、
前記腹側帯部材の前記横方向中央部で前記吸収性本体と重なる領域のうち前記吸収性コアが配置された領域であって、前記弾性部材が切断された箇所を有する領域と、
の間に、前記腹側帯部材の前記横方向中央部で前記吸収性本体と重なる領域のうち前記吸収性コアが配置されていない部分であって、前記弾性部材が切断された箇所を有する領域が設けられることにより、
前記吸収性本体を前記縦方向の中央部で二つ折りとして、前記腹側帯部材の前記横方向側縁部と、前記背側帯部材の前記横方向側縁部とを連結した場合に、前記腹側帯部材の前記縦方向上側端部と前記背側帯部材の前記縦方向上側端部との前記縦方向位置が異なる、ことを特徴とする吸収性物品。
【請求項４】
請求項１〜３のいずれか１項に記載の吸収性物品であって、
前記吸収性本体を前記縦方向の中央部で二つ折りとして、前記腹側帯部材の前記横方向側縁部と、前記背側帯部材の前記横方向側縁部とを連結した場合における前記吸収性物品の前記縦方向の長さの１／２よりも、
前記背側帯部材の前記縦方向の長さの方が長い、ことを特徴とする吸収性物品。
【請求項５】
請求項１〜４のいずれか１項に記載の吸収性物品であって、
前記吸収性本体を前記縦方向の中央部で二つ折りとして、前記腹側帯部材の前記横方向側縁部と、前記背側帯部材の前記横方向側縁部とを連結した場合において、
前記背側帯部材と重なる部分の前記吸収性本体の前記横方向端部から前記背側帯部材の前記横方向側縁部までの長さは、
前記腹側帯部材と重なる部分の前記吸収性本体の前記横方向端部から前記腹側帯部材の前記横方向側縁部までの長さよりも長い、ことを特徴とする吸収性物品。
【請求項６】
請求項５に記載の吸収性物品であって、
前記背側帯部材と重なる部分の前記吸収性本体の前記横方向端部から前記背側帯部材の前記横方向側縁部までの間に配置された前記弾性部材の応力は、
前記腹側帯部材と重なる部分の前記吸収性本体の前記横方向端部から前記腹側帯部材の前記横方向側縁部までの間に配置された前記弾性部材の応力よりも大きい、ことを特徴とする吸収性物品。
【請求項７】
請求項１〜６のいずれか１項に記載の吸収性物品であって、
前記吸収性本体の前記縦方向の上側端部領域の色は、前記上側端部領域以外の領域の色と異なる、ことを特徴とする吸収性物品。
【請求項８】
請求項１〜７のいずれか１項に記載の吸収性物品であって、
前記吸収性本体を前記縦方向の中央部で二つ折りとして、前記腹側帯部材の前記横方向側縁部と、前記背側帯部材の前記横方向側縁部とを連結した場合において、
前記背側帯部材に配置された前記弾性部材のうち前記腹側帯部材と重ならない部分に配置された弾性部材の少なくとも一部は、前記腹側帯部材に配置された前記弾性部材と色が異なる、ことを特徴とする吸収性物品。
【発明の詳細な説明】
【技術分野】
【０００１】
本発明は、吸収性物品に関する。
【背景技術】
【０００２】
排泄物を吸収する吸収性物品として、パンツ型の使い捨ておむつが知られている。一般に、パンツ型の使い捨ておむつでは胴回り部に糸ゴム等の伸縮部材を設けることによって幅方向に収縮性を持たせ、着用時においておむつの位置がずれにくくなるようにしている。その際、伸縮部材によって体裁の悪い皺が発生したり、着用者の胴部を過度に圧迫したりすることを防止するため、伸縮部材の配置方法を変更することがある。例えば特許文献１では、胴回りの腹側中央部に非伸縮領域を設けることにより、当該領域において皺の発生を抑制するとともに、着用時に良好なフィット感を得られるパンツ型の使い捨ておむつの例が開示されている。
【先行技術文献】
【特許文献】
【０００３】
【特許文献１】特開２００２−２７２７８３号
【発明の概要】
【発明が解決しようとする課題】
【０００４】
このような使い捨ておむつでは、胴回りの腹側中央部に非伸縮領域が設けられているため、当該領域において吸収体を幅方向に収縮させる力は作用しない。一方、胴回りの背側中央部には非伸縮領域が設けられていないため、当該領域においては吸収体を幅方向に収縮させる力が作用する。したがって、吸収体の幅方向広さは背側よりも腹側で広くなる。
しかし、このような構造により、おむつの前後の判断（腹側もしくは背側の判断）がつきにくくなる場合がある。一般に、パンツ等では腹側よりも背側（臀部側）の表面積が大きいため、パンツ型の使い捨ておむつにおいても吸収体が幅方向に広い方が背側であると判断されやすいためである。さらに、このような使い捨ておむつでは、吸収体の幅方向広さが異なる以外は腹側と背側とがほぼ同じ構造であるため、前後の判断をすることが困難である。
【０００５】
本発明は、上記のような問題に鑑みてなされたものであって、その目的とするところは、前後の判断がつきやすい使い捨ておむつを提供することにある。
【課題を解決するための手段】
【０００６】
上記目的を達成するための主たる発明は、
縦方向と、前記縦方向と交差する横方向と、を有した吸収性物品であって、前記縦方向に沿って設けられ、排泄物を吸収する吸収性本体と、前記横方向に沿って設けられ、前記吸収性本体の前記縦方向の一端部を前記吸収性本体の非肌側から覆いながら前記一端部に前記横方向の中央部が固定された腹側帯部材と、前記腹側帯部材とは別部材として前記横方向に沿って設けられ、前記吸収性本体の前記縦方向の他端部を前記吸収性本体の非肌側から覆いながら前記他端部に前記横方向の中央部が固定された背側帯部材と、を有し、前記背側帯部材の前記縦方向の長さは、前記腹側帯部材の前記縦方向の長さよりも長く、前記腹側帯部材及び前記背側帯部材には、前記横方向に沿って伸縮する弾性部材がそれぞれ配置され、前記腹側帯部材と前記吸収性本体とが重なる少なくとも１部分において、前記弾性部材が切断された箇所を有する、ことを特徴とする吸収性物品である。
【０００７】
本発明の他の特徴については、本明細書及び添付図面の記載により明らかにする。
【発明の効果】
【０００８】
本発明によれば、前後の判断がつきやすい使い捨ておむつを提供することができる。
【図面の簡単な説明】
【０００９】
【図１】本実施形態に係る３ピースタイプの使い捨ておむつ（おむつ１）の概略斜視図である。
【図２】展開状態の同おむつ１を肌側から見た概略平面図である。
【図３】同おむつ１を非肌側から見た概略平面図である。
【図４】図４Ａは、図２中のＡ−Ａ断面図及びＣ−Ｃ断面図であり、図４Ｂは、図２中のＢ−Ｂ断面図である。
【図５】図５Ａはパンツ型に成型したおむつ１を前側（腹側）正面から見た場合の概略図である。図５Ｂはパンツ型に成型したおむつ１を後側（背側）正面から見た場合の概略図である。
【図６】図５ＡのＤ−Ｄ断面について説明する図である。
【図７】おむつ１を着用させる際の動作について説明する図である。
【図８】中央部分ＡＤｃｃに弾性部材３５が存在している例について説明する概略平面図である。
【図９】所定の箇所の色が変更された場合におけるおむつ１の一例を表す概略図である。
【発明を実施するための形態】
【００１０】
本明細書及び添付図面の記載により、少なくとも以下の事項が明らかとなる。
縦方向と、前記縦方向と交差する横方向と、を有した吸収性物品であって、前記縦方向に沿って設けられ、排泄物を吸収する吸収性本体と、前記横方向に沿って設けられ、前記吸収性本体の前記縦方向の一端部を前記吸収性本体の非肌側から覆いながら前記一端部に前記横方向の中央部が固定された腹側帯部材と、前記腹側帯部材とは別部材として前記横方向に沿って設けられ、前記吸収性本体の前記縦方向の他端部を前記吸収性本体の非肌側から覆いながら前記他端部に前記横方向の中央部が固定された背側帯部材と、を有し、前記背側帯部材の前記縦方向の長さは、前記腹側帯部材の前記縦方向の長さよりも長く、前記腹側帯部材及び前記背側帯部材には、前記横方向に沿って伸縮する弾性部材がそれぞれ配置され、前記腹側帯部材と前記吸収性本体とが重なる少なくとも１部分において、前記弾性部材が切断された箇所を有する、ことを特徴とする吸収性物品。
【００１１】
このような吸収性物品によれば、前側と後側とで顕著な外形的差異が表れるため、使用者が前後の判断をしやすくなる。
【００１２】
かかる吸収性物品であって、前記吸収性本体の前記縦方向の一端側端部から前記腹側帯部材の前記縦方向の上側端部までの長さと、前記吸収性本体の前記縦方向の他端側端部から前記背側帯部材の前記縦方向の上側端部までの長さとが異なる、ことが望ましい。
【００１３】
このような吸収性物品によれば、使用者が前側上端部に触れた時と後側上端部に触れた時とで異なる感触が得られるようになることから、視認による前後判断だけではなく手触りによっても、当該吸収性物品の前後判断を行いやすくなる。
【００１４】
かかる吸収性物品であって、前記吸収性本体は、液体を吸収する素材が所定の厚さに積層されてなる吸収性コアを有し、前記腹側帯部材の前記横方向中央部で前記吸収性本体と重ならない領域であって、前記横方向の一端側から他端側に亘って前記弾性部材が伸長された状態で配置された領域と、前記腹側帯部材の前記横方向中央部で前記吸収性本体と重なる領域のうち前記吸収性コアが配置された領域であって、前記弾性部材が切断された箇所を有する領域と、の間に、前記腹側帯部材の前記横方向中央部で前記吸収性本体と重なる領域のうち前記吸収性コアが配置されていない部分であって、前記弾性部材が切断された箇所を有する領域が設けられることにより、前記吸収性本体を前記縦方向の中央部で二つ折りとして、前記腹側帯部材の前記横方向側縁部と、前記背側帯部材の前記横方向側縁部とを連結した場合に、前記腹側帯部材の前記縦方向上側端部と前記背側帯部材の前記縦方向上側端部との前記縦方向位置が異なる、ことが望ましい。
【００１５】
このような吸収性物品によれば、背側帯部材の上縁部の位置と腹側帯部材の上縁部の位置とが異なるようになり、吸収性物品を前側から見た時には腹側帯部材及び背側帯部材の上縁部が共に視認されるが、吸収性物品を後側から見た時には背側帯部材の上縁部のみが視認され腹側帯部材の上縁部は視認されなくなる。これにより、前後判断をより正確に行うことができる。
【００１６】
かかる吸収性物品であって、前記吸収性本体を前記縦方向の中央部で二つ折りとして、前記腹側帯部材の前記横方向側縁部と、前記背側帯部材の前記横方向側縁部とを連結した場合における前記吸収性物品の前記縦方向の長さの１／２よりも、前記背側帯部材の前記縦方向の長さの方が長い、ことが望ましい。
【００１７】
このような吸収性物品によれば、パンツ型に成型された当該吸収性物品を後側から見た場合に、縦方向の半分以上の範囲に亘って背側帯部材が視認されるようになるため、吸収性物品を前側から見た場合と比較して外観形状の相違がより顕著になる。これにより、吸収性物品の前後を誤りにくくなる。
【００１８】
かかる吸収性物品であって、前記吸収性本体を前記縦方向の中央部で二つ折りとして、前記腹側帯部材の前記横方向側縁部と、前記背側帯部材の前記横方向側縁部とを連結した場合において、前記背側帯部材と重なる部分の前記吸収性本体の前記横方向端部から前記背側帯部材の前記横方向側縁部までの長さは、前記腹側帯部材と重なる部分の前記吸収性本体の前記横方向端部から前記腹側帯部材の前記横方向側縁部までの長さよりも長い、ことが望ましい。
【００１９】
このような吸収性物品によれば、腹側帯部材が横方向に収縮することにより表面に歪が生じ、その歪が上下に立ち上がることで皺が形成される。一方、背側帯部材の横方向への収縮は腹側帯部材よりも小さいため形成される皺も目立ちにくくなる。このような皺の違いによって吸収性物品の前後判断を行いやすくすることができる。
【００２０】
かかる吸収性物品であって、前記背側帯部材と重なる部分の前記吸収性本体の前記横方向端部から前記背側帯部材の前記横方向側縁部までの間に配置された前記弾性部材の応力は、前記腹側帯部材と重なる部分の前記吸収性本体の前記横方向端部から前記腹側帯部材の前記横方向側縁部までの間に配置された前記弾性部材の応力よりも大きい、ことが望ましい。
【００２１】
このような吸収性物品によれば、応力が小さい腹側において歪がより大きくなるため、背側よりも腹側で大きな皺が形成されやすくなる。これにより前後判断を行いやすくなる。
【００２２】
かかる吸収性物品であって、前記吸収性本体の前記縦方向の上側端部領域の色は、前記上側端部領域以外の領域の色と異なる、ことが望ましい。
【００２３】
このような吸収性物品によれば、吸収性本体の上端部に沿って色の付いたラインが見えるようになり、当該ラインが見える側が吸収性物品の前側（腹側）であることを認識しやすくなる。
【００２４】
かかる吸収性物品であって、前記吸収性本体を前記縦方向の中央部で二つ折りとして、前記腹側帯部材の前記横方向側縁部と、前記背側帯部材の前記横方向側縁部とを連結した場合において、前記背側帯部材に配置された前記弾性部材のうち前記腹側帯部材と重ならない部分に配置された弾性部材の少なくとも一部は、前記腹側帯部材に配置された前記弾性部材と色が異なる、ことが望ましい。
【００２５】
このような吸収性物品によれば、前側から見た場合と後側から見た場合とで、背側帯部材に配置される弾性部材の見え方が異なることから、吸収性物品の前後を明確に判断しやすくなる。
【００２６】
＝＝＝実施形態＝＝＝
＜使い捨ておむつの構成＞
図１は、本実施形態の吸収性物品の一例としての使い捨ておむつ（おむつ１）の概略斜視図である。図２は、展開状態のおむつ１を肌側から見た概略平面図である。図３は、同おむつ１を非肌側から見た概略平面図である。また、図４Ａは、図２中のＡ−Ａ断面図及びＣ−Ｃ断面図であり、図４Ｂは、図２中のＢ−Ｂ断面図である。
【００２７】
図２、図４Ａ、及び図４Ｂに示すように、このおむつ１は、互いに直交する三方向として縦方向と横方向と厚さ方向とを有している。また、同おむつ１は、所謂３ピースタイプであり、３つの部品１０，３０ａ，３０ｂを有している。すなわち、このおむつ１は、第１部品として、着用者の股間部にあてがわれ尿等の排泄物を吸収する吸収性本体１０を有し、第２部品として、同着用者の腹側部を覆う腹側帯部材３０ａを有し、第３部品として、同着用者の背側部を覆う背側帯部材３０ｂを有している。そして、図２の展開状態では、腹側帯部材３０ａ（図で縦方向上側）と背側帯部材３０ｂ（図で縦方向下側）とが互いに縦方向に間隔をあけて平行に並んだ状態で、これらの間に吸収性本体１０が掛け渡されつつ、同吸収性本体１０の横方向の各端部１０ｅａ，１０ｅｂがそれぞれ最寄りの帯部材３０ａ，３０ｂに接合固定されており、その外観形状は平面視略Ｈ形状をなしている。そして、この状態から、吸収性本体１０がその長手方向の略中央部Ｃ１０を折り位置として二つ折りされる。この二つ折りの状態において互いに対向する腹側帯部材３０ａと背側帯部材３０ｂとが、着用者の脇腹に当接すべき部分である腹側帯部材側縁部３０ａｅｓと、背側帯部材側縁部３０ｂｅｓと（つまり、横方向の各端部）にて接合・連結されると、これら帯部材３０ａ，３０ｂ同士が環状に成形される。これにより、図１に示すような胴周り開口１ＨＢ及び一対の脚周り開口１ＨＬが形成された着用状態のおむつ１となる。また、以下の説明では、開口１ＨＢの環状開口部を形成する腹側帯部材３０ａの縦方向の端部を腹側帯部材上縁部３０ａｅｔとし、開口１ＨＢの環状開口部を形成する背側帯部材３０ｂの縦方向の端部を背側帯部材上縁部３０ｂｅｔとする。
【００２８】
腹側帯部材側縁部３０ａｅｓと背側帯部材側縁部３０ｂｅｓとを連結する連結構造としては、種々の連結構造を採用できる。そして、例えば、溶着等の取り外し不能な連結構造を用いれば、パンツ型のおむつにすることができ、他方、ファスニングテープ部材（不図示）等の着脱自在な連結構造を用いれば、オープン型のおむつにすることができる。ちなみに、この例では、前者の連結構造を用いており、これにより、本実施形態のおむつ１はパンツ型とされている。
【００２９】
また、以下の説明では、おむつ１の縦方向、横方向、厚さ方向のことを、それぞれ単に「縦方向」、「横方向」、「厚さ方向」と言う。なお、厚さ方向に関しては、着用者に接触する側のことを「肌側」とも言い、その逆側のことを「非肌側」とも言う。また、おむつ１の「横方向」は、図１のようなおむつ形状時において吸収性本体１０の「幅方向」とも言えることから、以下の説明では「横方向」のことを「幅方向」とも呼ぶ場合がある。
【００３０】
以下、図１乃至図４Ｂを参照しつつ、おむつ１の３つの構成部品１０，３０ａ，３０ｂについて説明する。
【００３１】
図２及び図４Ｂに示すように、吸収性本体１０は、吸収性コア１１と、吸収性コア１１を同コア１１の肌側から覆う表面シート部材１３と、吸収性コア１１を同コア１１の非肌側から覆って吸収性本体１０の外装をなす裏面シート部材１５と、を備えている。
【００３２】
吸収性コア１１は、液体吸収性素材を積層してなる部材であり、尿等の排泄物を吸収することができる。液体吸収性素材としては、例えば、パルプ繊維等の液体吸収性繊維を使用することができる。なお、吸収性コア１１は、液体吸収性粒状物として例えば高吸収性ポリマーを含有していても良いし、または、液体吸収性繊維及び液体吸収性粒状物以外の液体吸収性素材を含んでいても良い。また、吸収性コア１１は、ティッシュペーパー等の液透過性シート（不図示）で被覆されていても良い。
【００３３】
本実施形態の吸収性コア１１は、図２における縦方向の上側端部である腹側端部１１ａと、図２における縦方向の下側端部である背側端部１１ｂを有する。そして、腹側端部１１ａと背側端部１１ｂとの間に、腹側端部１１ａ及び背側端部１１ｂよりも横方向の幅が狭いくびれ部１１ｃを有する。これにより、吸収性コア１１は図２に示されるような平面視略砂時計形状となるように構成されている。
【００３４】
表面シート部材１３は、吸収性コア１１を肌側から覆うシート状の部材であり、例えば吸収性コア１１よりも大きい平面サイズの液透過性の不織布である（図４Ｂ参照）。また、裏面シート部材１５は、吸収性コア１１を非肌側から覆うシート状の部材であり、吸収性コア１１より大きい平面サイズのシートであり、その一例としては、ポリエチレン又はポリプロピレン等の液不透過性の防漏シート１５ａと、不織布等の外装シート１５ｂとが貼り合わされた二層構造のシートが挙げられる。そして、これら裏面シート部材１５と表面シート部材１３との間に吸収性コア１１を挟んだ状態において、吸収性コア１１の四辺から外側にはみ出す部分にて、裏面シート部材１５の防漏シート１５ａと表面シート部材１３とが額縁状に貼り合わされ、これにより、吸収性本体１０が概ね形成されている。
【００３５】
また、おむつ１では、図１、図２、及び図４Ｂに示すように、外装シート１５ｂによって所謂立体ギャザーＬＳＧ及び脚回りギャザーＬＧが形成される。立体ギャザーＬＳＧは、表面シート部材１３の横方向の各端部にそれぞれ起立して設けられた防漏壁部であり、他方、脚回りギャザーＬＧは、おむつ１の各脚周り開口１ＨＬ，１ＨＬに形成される脚周り伸縮部のことである。かかる外装シート１５ｂについて詳説すると、先ず、図４Ｂに示すように、外装シート１５ｂの横方向の寸法は、防漏シート１５ａよりも十分大きくされており、すなわち、外装シート１５ｂは、防漏シート１５ａの横方向の両側から横方向に大きくはみ出している。そして、このはみ出した部分１５ｂｆが、吸収性本体１０の横方向の端部１０ｅｓをなす位置を折り返し位置として横方向の中央側に折り返されて、同折り返し位置の近傍に縦方向に沿って糸ゴム等の脚周り弾性部材１７及び脚周り補助弾性部材１９が縦方向に伸長された状態で固定され、これにより、上記の脚回りギャザーＬＧが形成されている。
【００３６】
なお、図２においては、脚周り弾性部材１７及び脚周り補助弾性部材１９と腹側帯弾性部材３５ａ及び背側帯弾性部材３５ｂとがそれぞれ交差しないように配置されている。この場合、脚周り弾性部材１７及び脚周り補助弾性部材１９と腹側帯弾性部材３５ａ及び背側帯弾性部材３５ｂとはそれぞれ伸縮性を及ぼし合わない。つまり、腹側帯弾性部材３５ａや背側帯弾性部材３５ｂが横方向（幅方向）の内側に収縮した場合であっても、脚周り弾性部材１７及び脚周り補助弾性部材１９は横方向（幅方向）への力を受けにくい。これにより、脚回りギャザーＬＧの形状が崩れにくくなり、防漏壁部として機能させやすくすることができる。一方、脚周り弾性部材１７及び脚周り補助弾性部材１９と腹側帯弾性部材３５ａ及び背側帯弾性部材３５ｂとがそれぞれ交差するような配置としてもよい（不図示）。この場合、脚周り弾性部材１７及び脚周り補助弾性部材１９と腹側帯弾性部材３５ａ及び背側帯弾性部材３５ｂとがそれぞれ伸縮性を及ぼし合うようになる。おむつ１の着用時において排泄が行われると、排泄物を吸収した吸収性本体１０の重量が重くなることによって該吸収性本体１０が下側に垂れ下がり、脚周り弾性部材１７及び脚周り補助弾性部材１９が下側に伸びやすくなる。その結果、着用者の脚と脚周り開口１ＨＬとの間の隙間が大きくなり、その隙間から排泄物が外部に漏出するおそれがある。しかし、脚周り弾性部材１７及び脚周り補助弾性部材１９と腹側帯弾性部材３５ａ及び背側帯弾性部材３５ｂとを交差させておくことで、脚周り弾性部材１７等が下側に伸びるのを腹側帯弾性部材３５ａ等によって抑制することができる。これにより、吸収性本体１０に排泄が行われた場合であっても該吸収性本体１０が垂れ下がりにくくなり、着用者の脚と脚周り開口１ＨＬとの間の隙間から排泄物が外部に漏出する等の問題が生じるのを抑制しやすくなる。
【００３７】
なお、脚周り補助弾性部材１９は必ず必要というわけではなく、脚周り弾性部材１７のみによって脚回りギャザーＬＧが形成されるのであっても良い。また、折り返された部分１５ｂｇは、更に横方向の中央側へと延びていき、表面シート部材１３の横方向の端部を覆う位置で、同端部に接合されている。そして、この端部に接合された部分が立体ギャザーＬＳＧの基端部ＬＳＧｂとして機能して、すなわち、当該基端部ＬＳＧｂよりも更に横方向の先端側の部分が自由端部分ＬＳＧｆとして表面シート部材１３から起立可能となっている。また、自由端部分ＬＳＧｆの先端部には、縦方向に沿って糸ゴム等のＬＳＧ弾性部材１８が縦方向に伸長された状態で固定されている。よって、ＬＳＧ弾性部材１８の縦方向の収縮によって、表面シート部材１３側が内周側となるように吸収性本体１０は縦方向に湾曲するが、この湾曲時には、同ＬＳＧ弾性部材１８から付与される収縮力によって自由端部分ＬＳＧｆは、縦方向に収縮して表面シート部材１３から起立し、これにより、同自由端部分ＬＳＧｆは立体ギャザーＬＳＧとして機能する。
【００３８】
なお、不図示であるが、場合によっては、表面シート部材１３と吸収性コア１１との間、又は、裏面シート部材１５と吸収性コア１１との間に、セカンドシートとしてティッシュペーパー等の液透過性シートを介装しても良い。
【００３９】
図２に示すように、腹側帯部材３０ａ及び背側帯部材３０ｂは、いずれも、例えば不織布等の柔軟なシートを素材とした平面視略矩形形状のシート部材である。ここでは、図４Ａ及び図４Ｂに示すように、不織布３１，３２を二枚重ねに接合することで腹側帯部材３０ａ及び背側帯部材３０ｂが形成されている。そして、腹側帯部材３０ａ及び背側帯部材３０ｂは、それぞれ横方向の中央部３０ａｃ，３０ｂｃで、吸収性本体１０における縦方向の各端部１０ｅａ，１０ｅｂを吸収性本体１０の非肌側から覆いながら、当該各端部１０ｅａ，１０ｅｂに帯部材３０ａ，３０ｂの中央部３０ａｃ，３０ｂｃが重ね合わせられて接合されている。なお、二枚の不織布３１，３２は互いに同じサイズでなくても良い。
【００４０】
腹側帯部材３０ａの中央部３０ａｃ及び背側帯部材３０ｂの中央部３０ｂｃへの吸収性本体１０の重ね合わせは、腹側帯部材３０ａの縦方向の端部３０ａｅ２及び背側帯部材３０ｂの縦方向の端部３０ｂｅ２には吸収性本体１０を重ねずに、同端部３０ａｅ２，３０ｂｅ２よりも縦方向の中央側の部分３０ａｃ２，３０ｂｃ２に吸収性本体１０を重ねるようにして行われる（図２参照）。そして、これにより、腹側帯部材３０ａ及び背側帯部材３０ｂにおける縦方向の端部３０ａｅ２，３０ｂｅ２は、横方向の全長に亘って帯状に吸収性本体１０が全く重ならない部分３０ａｅ２，３０ｂｅ２とされている。なお、この重ならない部分３０ａｅ２，３０ｂｅ２は、おむつ１の胴回り開口１ＨＢ（図１）を構成する部分となり、よって、当該部分３０ａｅ２，３０ｂｅ２には、後述する弾性部材３５が、同部分３０ａｅ２，３０ｂｅ２における横方向の略全長に亘って連続して設けられている。
【００４１】
図２、図４Ａ、及び図４Ｂに示すように、帯部材３０ａ，３０ｂに係る２枚の不織布３１，３２同士の間には、横方向に沿って糸ゴム等の複数本の弾性部材３５，３５…が介挿されつつ、横方向に伸長された状態で同不織布３１，３２に接合固定されている。これにより、腹側帯部材３０ａ及び背側帯部材３０ｂにはそれぞれ横方向の伸縮性が付与されている。また、かかる複数本の弾性部材３５，３５…は、縦方向に間隔をあけながら縦方向に並んで設けられている。本明細書中では、腹側帯部材３０ａに設けられる弾性部材３５を腹側帯弾性部材３５ａとし、背側帯部材３０ｂに設けられる弾性部材３５を背側帯弾性部材３５ｂとする。
【００４２】
また、以下では、説明の都合上、図３に示すように、腹側帯部材３０ａを縦方向に二つの領域ＡＵ，ＡＤに区分し、そして、縦方向に並ぶ二つの各領域ＡＵ，ＡＤのことを、縦方向の端側から中央側に向かうに従って、「上部領域ＡＵ」、及び「下部領域ＡＤ」と言う。同様に、背側帯部材３０ｂを縦方向に二つの領域ＢＵ，ＢＤに区分し、縦方向の端側から中央側に向かうに従って、「上部領域ＢＵ」、及び「下部領域ＢＤ」と言う。なお、同図３を参照してわかるように、領域ＡＵ，ＡＤ，ＢＵ，ＢＤのいずれも、横方向に沿った帯状の領域とされている。
【００４３】
腹側帯部材３０ａの上部領域ＡＵは、おむつ１の胴回り開口１ＨＢを構成する部分であり、また、同領域ＡＵは、横方向の全長に亘って吸収性本体１０が全く重ね合わせられていない領域である。そして、かかる上部領域ＡＵには、腹側帯弾性部材３５ａが、同領域ＡＵにおける横方向の一端部から他端部までの略全長に亘って連続して配置されながら、横方向に伸長された状態で固定されている。よって、当該腹側帯弾性部材３５ａに基づいて上部領域ＡＵには、横方向の略全長に亘って横方向の伸縮性が付与されており、この伸縮性は、おむつ１の胴回り開口１ＨＢの伸縮性となる。同様に、帯部材３０ｂの上部領域ＢＵは、おむつ１の胴回り開口１ＨＢを構成し、同領域ＢＵには、背側帯弾性部材３５ｂが、同領域ＢＵにおける横方向の一端部から他端部までの略全長に亘って連続して配置されながら、横方向に伸長された状態で固定されている。
【００４４】
腹側帯部材３０ａの下部領域ＡＤは、横方向の中央部ＡＤｃに、吸収性本体１０及び吸収性本体１０のうち吸収性コア１１が存在する部分１０ｐが重ね合わせられて固定される領域である。なお、かかる下部領域ＡＤのうちで上記中央部ＡＤｃの両側に位置する各部分ＡＤｅ，ＡＤｅには、吸収性本体１０は重ね合わせられていない。
【００４５】
また、同各部分ＡＤｅ，ＡＤｅには、それぞれ、弾性部材３５が、同部分ＡＤｅにおける横方向の一端部から他端部までの略全長に亘って連続して配置されながら、横方向に伸長下で固定されている。そして、これにより、当該各部分ＡＤｅ，ＡＤｅには横方向の略全長に亘って横方向の伸縮性が付与されている。
【００４６】
他方、上記中央部ＡＤｃには、弾性部材３５が横方向に非連続に配置されている。詳しくは、この例では、上記中央部ＡＤｃのうちの横方向の両端部ＡＤｃｅ，ＡＤｃｅには、上記の弾性部材３５の端部が位置しているが、上記中央部ＡＤｃのうちの横方向の中央部分ＡＤｃｃでは、弾性部材３５が切断された部分が少なくとも１箇所以上設けられることにより、上記中央部ＡＤｃでは弾性部材３５が横方向に非連続に配置されている。そして、このように中央部ＡＤｃの中央部分ＡＤｃｃにおいて弾性部材３５が非連続となっている場合には、同中央部分ＡＤｃｃに伸縮性がほぼ付与されないことから、同中央部分ＡＤｃｃの横方向の収縮は抑制される。そして、これに伴い、吸収性コア１１の横方向（幅方向）の収縮も抑制されるため、当該吸収性コア１１の皺の発生も防止されて吸収性コア１１の肌側面は略平坦に維持される。そして、その結果、吸収性コア１１の吸液阻害を有効に防ぐことができて、また皺の発生に起因する排泄物の漏れも抑制することができる。
【００４７】
これに対して、背側帯部材３０ｂの下部領域ＢＤでは、横方向の中央部ＢＤｃ及び中央部ＡＤｃの両側に位置する各部分ＢＤｅ，ＢＤｅにおいて、背側帯弾性部材３５ｂが横方向の一端部から他端部までの略全長に亘って連続して配置されながら、横方向に伸長された状態で固定されている。すなわち、下部領域ＢＤでは吸収性コア１１も含めて横方向の略全長に亘って横方向の伸縮性が付与されている。これにより当該領域において吸収性コア１１が横方向（幅方向）に収縮するが、背側には「尿」よりも排泄範囲が狭い「便」が主に排泄されるため、排泄物が吸収性コア１１から漏出することは起こりにくい。
【００４８】
また、図３に示すように、腹側帯部材３０ａの下部領域ＡＤの上記中央部ＡＤｃには、動物等の不図示のイラストが形成されたイラストシート４０が設けられていてもよいが、上記と同様の理由で、このイラストシート４０の皺の発生も抑制される。また、イラストシート４０が別部材として設けられるのではなく、例えば、吸収性本体１０（外装シート１５ｂ）の該当箇所(すなわち横方向の中央部ＡＤｃ付近)の非肌側表面に直接イラストが印刷されるのであってもよい。この場合も横方向の中央部ＡＤｃ付近の領域では皺の発生が抑制される。したがって、本実施形態の構造であれば、イラストは見えやすくなる。
【００４９】
また、図３に示すように、背側帯部材３０ｂの非肌側の表面には後処理テープ５０が設けられていてもよい。後処理テープ５０は粘着面を有する細長いテープ状の部材であり、粘着面を内側にして折り畳んだ状態で背側帯部材３０ｂに固定されている。使用後のおむつ１を廃棄する際に、縦方向に丸めたおむつ１に対して、折り畳まれている後処理テープ５０を伸ばして粘着面側を該おむつ１に巻き回すことにより、おむつ１を丸めた状態に保持することができる。これにより、おむつ１の内部（吸収性本体１０）に付着した排泄物等を外に漏出させることなくおむつ１を廃棄することができる。さらに、後処理テープ５０が背側（後側）に設けられているのに対して腹側（前側）には設けられていないことから、おむつ１の前後で外形的な違いが強調され、より前後判断を行いやすくなる。
【００５０】
＜腹側帯部材３０ａ及び背側帯部材３０ｂの構成について＞
本実施形態のおむつ１では、背側帯部材３０ｂの縦方向の長さ（背側帯部材側縁部３０ｂｅｓの長さであって、図３においてＢＵ＋ＢＤの縦方向長さで表される）が、腹側帯部材３０ａの縦方向の長さ（腹側帯部材側縁部３０ａｅｓの長さであって、図３においてＡＵ＋ＡＤの縦方向長さで表される）よりも長い。つまり、腹側帯部材３０ａの側縁部３０ａｅｓの縦方向長さよりも、背側帯部材３０ｂの側縁部３０ｂｅｓの縦方向長さの方が長くなっている。これにより、腹側帯部材側縁部３０ａｅｓと背側帯部材側縁部３０ｂｅｓとを連結しておむつ１をパンツ型に成型した場合、背側帯部材３０ｂの縦方向端部の領域が腹側帯部材３０ａからはみ出す構造となる。以下、図を用いながら説明する。
【００５１】
図５Ａはパンツ型に成型したおむつ１を前側（腹側）正面から見た場合の概略図である。図５Ｂはパンツ型に成型したおむつ１を後側（背側）正面から見た場合の概略図である。
【００５２】
図５Ａにおいておむつ１を前側（腹側）正面から見ると、背側帯部材３０ｂの一部が腹側帯部材３０ａから後側にはみ出して見える状態となる。同図５Ａの場合、背側帯部材３０ｂの縦方向下側の斜線部で表される領域３０ｂｕ，３０ｂｕが大きくはみ出して見える。なお、おむつ１の着用時においては、当該はみ出し領域３０ｂｕが着用者の臀部を覆う「おしりカバー」として機能する。また、腹側帯部材３０ａの横方向中央部ＡＤｃのうち吸収性本１０（吸収性コア１１）と重なる領域において、腹側帯弾性部材３５ａが切断されて非連続となっているため、当該領域では腹側帯部材３０ａが幅方向（横方向）に収縮しにくい。そのため、吸収性コア１１に皺が発生しにくく、上述したようなイラストシート４０が設けられる場合でも、イラストシート４０に描かれたイラストをはっきりと視認することが可能であり、当該領域がおむつ１の前側であることを認識しやすい。
【００５３】
一方、図５Ｂにおいておむつ１を後側（背側）正面から見ると、腹側帯部材３０ａは背側帯部材３０ｂに隠れるため視認することができない。また、背側帯部材３０ｂでは横方向の略全長に亘って背側帯弾性部材３５ｂが設けられ、該背側帯弾性部材３５ｂが収縮することによって吸収性本１０（吸収性コア１１）に皺が発生するため、おむつ１の後側であることを認識しやすい。
【００５４】
このように、本実施形態のおむつ１では、背側帯部材３０ｂの縦方向の長さを腹側帯部材３０ａの縦方向の長さよりも長くして（ＢＵ＋ＢＤ＞ＡＵ＋ＡＤ）、かつ、腹側帯部材３０ａと吸収性本１０とが重なる部分において腹側帯弾性部材３５ａが切断された箇所を有することにより、おむつ１をパンツ型に成型した際に前後（腹側及び背側）で顕著な外形的な差異が現れるようになる。これにより、使用者は一見しておむつ１の前後を認識することができるようになり、また、前後の判断を誤りにくくなる。
【００５５】
なお、背側帯部材３０ｂの縦方向の長さは、おむつ１をパンツ型に成型した場合におけるおむつ１全体の縦方向長さ（図５Ａ及び図５ＢにおいてＬｔで表される）の１／２よりも長いことが望ましい。言い換えると、吸収性本体１０を長手方向の中央部で二つ折りとして、腹側帯部材３０ａの側縁部３０ａｅｓと背側帯部材３０ｂの側縁部３０ｂｅｓとを連結した場合におけるおむつ１の縦方向長さの半分よりも、背側帯部材３０ｂの縦方向長さの方が長いことが望ましい。このようにすることで、パンツ型に成型されたおむつ１を後側（背側）から見た場合に、縦方向の半分以上の範囲に亘って背側帯部材３０ｂが視認されるようになり（図５Ｂ参照）、おむつ１を前側から見た場合と後側から見た場合とで外観形状の相違がより顕著になる。したがって、おむつ１の前後判断をより正確に行うことができる。
【００５６】
また、腹側帯部材３０ａの横方向中央部ＡＤｃにおいて、縦方向の上部領域ＡＵでは腹側帯弾性部材３５ａによって横方向（幅方向）の伸縮力が付与されていることから、この領域において腹側帯部材３０ａを構成する不織布３１，３２は幅方向に大きく収縮する。そのため、おむつ１をパンツ型に成型した場合、環状の胴回り開口１ＨＢの径を小さくする方向に、すわなち、胴回り開口１ＨＢの内側方向（着用者の肌側）に収縮する。
【００５７】
これに対して、腹側帯部材３０ａの横方向中央部ＡＤｃにおいて、縦方向の下部領域ＡＤでは腹側帯弾性部材３５ａが切断箇所を有するため、この領域では横方向（幅方向）の伸縮力が付与されない若しくは付与されるとしても非常に小さい（図３参照）。ここで、下部領域ＡＤのうち吸収性コア１１と重なる部分（図５ＡにおいてＡＤｄとする）では、吸収性コア１１自体の厚みにより（図４Ｂ参照）剛性が高くなっていることから、上部領域ＡＵにおいて腹側帯部材３０ａが幅方向へ収縮する場合であっても当該収縮の影響は受けにくい。一方、縦方向の下部領域ＡＤのうち吸収性コア１１と重ならない部分（図５ＡにおいてＡＤｕとする）は吸収性コア１１を有さないことにより厚みが薄く（図４Ａ参照）剛性が低いことから、上部領域ＡＵにおいて腹側帯部材３０ａが幅方向へする場合、当該収縮の影響を受けやすい。そのため、おむつ１をパンツ型に成型したときに、腹側帯部材３０ａのＡＤｕの部分は上部領域ＡＵにおける幅方向への収縮の影響を受けて開口１ＨＢの内側方向に引っ張られる。一方、腹側帯部材３０ａのＡＤｄの部分は上部領域ＡＵにおける幅方向への収縮の影響を受けず、開口１ＨＢの内側方向には引っ張られない。
【００５８】
そして、腹側帯部材３０ａのうちＡＤｕの部分が胴回り開口１ＨＢの内側方向に引っ張られる分、腹側帯部材３０ａの縦方向長さが短くなり、その結果、腹側帯部材３０ａの上縁部３０ａｅｔの位置は背側帯部材３０ｂの上縁部３０ｂｅｔの位置よりも低くなる。つまり、おむつ１を前側正面から見た場合には前側帯部材３０ａの上縁部３０ａｅｔ及び背側帯部材３０ｂの上縁部３０ｂｅｔが見えるのに対して（図５Ａ参照）、おむつ１を後側正面から見た場合には前側帯部材３０ａの上縁部３０ａｅｔは見えなくなる（図５Ｂ参照）。
【００５９】
このように本実施形態では、おむつ１を前側正面から見た場合に、はみ出し領域３０ｂｕが見えるのに加えて、前側帯部材３０ａの上縁部３０ａｅｔ及び腹側帯部材３０ａの上縁部３０ａｅｔが見えることにより、おむつ１の前後判断をしやすくなる。
【００６０】
次に、腹側帯部材３０ａ及び背側帯部材３０ｂの表面部分に形成される皺に着目する。図６は、図５ＡのＤ−Ｄ断面について説明する図である。
【００６１】
おむつ１を図５に示されるようなおむつ型に成型した場合、背側では背側帯弾性部材３５ｂによって伸縮力が作用するため吸収性本体１０が横方向（幅方向）に収縮する。一方、腹側では腹側帯弾性部材３５ａが横方向の中央部分ＡＤｃで切断箇所を有することにより伸縮力が作用しにくく、吸収性本体１０は横方向（幅方向）に収縮しない。その結果、図６に示されるように、横方向の中央部分ＡＤｃ（ＢＤｃ）において吸収性本体１０の横方向の長さが腹側と背側とで異なる。
【００６２】
これに対して、腹側帯部材３０ａの全体の横方向長さと背側帯部材３０ｂの全体の横方向長さとは本来等しくなるはずである。したがって、腹側帯部材３０ａと背側帯部材３０ｂとを側縁部３０ａｅｓ及び３０ｂｅｓで連結した場合、背側帯部材３０ｂの横方向中央部分ＢＤｃが収縮した分だけ腹側帯部材３０ａの横方向両端部分ＡＤｅは収縮する。つまり、吸収性本体１０と背側帯部材３０ｂとが重なる部分における吸収性本体１０の横方向端部１０ｅｂから背側帯部材３０ｂの横方向側縁部３０ｂｅｓまでの長さは、吸収性本体１０と腹側帯部材３０ａとが重なる部分における吸収性本体１０の横方向端部１０ｅａから腹側帯部材３０ａの横方向側縁部３０ａｅｓまでの長さよりも長くなる。
【００６３】
腹側帯部材３０ａの横方向両端部分ＡＤｅは柔軟性の高い不織布３１及び不織布３２によって構成されており、横方向に収縮することにより当該不織布の表面に歪が生じその歪が図６の厚さ方向の上下に立ち上がることで皺を形成する。一方、背側帯部材３０ｂの表面にも皺が形成されるが、横方向両端部分ＢＤｅにおける収縮量が腹側帯部材３０ａよりも少ないため、形成される皺の量や形状も腹側帯部材３０ａと比較して目立ちにくい。つまり、おむつ１では腹側帯部材３０ａ及び背側帯部材３０ｂの表面に形成される皺の大きさや形状が異なり、前側では皺が目立ちやすいのに対して後側では皺が目立ちにくい。このような皺の違いによってもおむつ１の前後判断が行いやすくなる。また、背側において歪が発生しにくく皺が目立ちにくいことから、おむつ１を視認した際に「おしりカバー」を確認しやすくなり、前後を間違えにくくなる。
【００６４】
また、図６の状態では、背側帯部材３０ｂの横方向両端部分ＢＤｅにおける背側帯弾性部材３５ｂの応力が、腹側帯部材３０ａの横方向両端部分ＡＤｅにおける腹側帯弾性部材３５ａの応力よりも大きくなる。当該部分では背側帯弾性部材３５ｂの方が腹側帯弾性部材３５ａよりも大きく伸長するからである。腹側と背側とで応力が異なると帯部材３０ａ，３０ｂに発生する歪の大きさも異なり、応力が小さい腹側において歪がより大きくなる。つまり、おむつ１の後側（背側）よりも前側（腹側）の歪が大きな皺となって視認しやすくなり、これにより前後判断を行いやすくなる。
【００６５】
さらに、本実施形態の腹側帯部材３０ａ及び背側帯部材３０ｂの構成により、おむつ１の着用時において以下のような効果を得ることもできる。
【００６６】
図７は、おむつ１を着用させる際の動作について説明する図である。おむつ１を乳幼児等に着用させる際には、はじめに、着用させる側の人間（上述の使用者に相当する）がおむつ１の横方向両端に形成されている１対の脚周り開口１ＨＬ，１ＨＬにそれぞれ縦方向の下側から手を入れて、腹側帯部材３０ａ及び背側帯部材３０ｂを横方向外側に広げるように伸長させて、図７のように胴回り開口１ＨＢを広げる。その後、着用する側の人間（以下、着用者とも言う。例えば乳幼児等、ただし人間以外の動物であってもよい）の両脚を胴回り開口１ＨＢから入れて１対の開口１ＨＬ，１ＨＬからそれぞれ出し、そのまま着用者の脚に沿って着用者の腰部までおむつ１を引き上げ、おむつ１を着用させる。
【００６７】
このような一連の動作において、おむつ１を着用させる側の人間は図７に示されるように帯部材３０ａ，３０ｂを横方向に広げたままの状態を保持する必要があるが、本実施形態では背側帯部材３０ｂの面積が広くなっているため、背側帯部材３０ｂと手の甲との接触面積が広くなる。すなわち、手の甲が広範囲にわたって背側帯部材３０ｂにかかりやすく、帯部材３０ａ，３０ｂを横方向に広げる際に力が伝達されやすくなり、おむつ１を横方向に楽に広げることができる。これにより、おむつ１を着用させる動作を行いやすくなる。特に、本実施形態のように背側帯部材３０ｂの横方向の全領域に亘って背側帯弾性部材３５ｂが伸縮性を有した状態で設けられている場合、背側帯部材３０ｂを横方向に広げるために要する力が大きくなる。これに対して、上述のように背側帯部材３０ｂの面積を広くして、背側において手の力をより伝わりやすくすることによって、おむつ１を着用させる動作を効率的に行うことが可能となる。
【００６８】
また、一般的な３ピースタイプのおむつにおいて、前後の帯部材の横方向全域に亘って弾性部材が設けられている場合には、おむつ１を着用する際の締め付け力が強くなることから、着用者の肌に食い込みやすく当該弾性部材による跡がつきやすくなる。しかし、本実施形態のおむつ１では背側帯部材３０ｂの面積を大きくすることにより、弾性部材による締め付け力を分散し、着用者の肌に跡がつきにくくなるようにしている。
【００６９】
また、おむつ１では帯部材３０ａ，３０ｂのうち、背側帯部材３０ｂの面積を大きくして「おしりカバー」としていることから、乳幼児等に安全に着用させることができる構造となっている。上述のように、おむつ１を着用させる際には、着用者の脚を胴回り開口１ＨＢから脚回り開口１ＨＬへ通す必要がある。仮に、おむつ１において腹側帯部材３０ａの面積が大きく、腹側帯部材３０ａの一部が縦方向下側にはみ出す構造であるとすると、脚回り開口１ＨＬに着用者（乳幼児等）の脚を通す際に、当該腹側帯部材３０ａのはみ出し部分に着用者の脚の指が引っかかりやすくなる場合がある。しかし、本実施形態のおむつ１の構造であれば、縦方向下側にはみ出すのは腹側帯部材３０ａではなく背側帯部材３０ｂであるため、おむつ１を着用させる際に脚の指が引っかかる可能性は低く、安全に着用させることができる。
【００７０】
また、本実施形態のおむつ１では、吸収性本体１０（吸収性コア１１）と腹側帯部材３０ａ及び背側帯部材３０ｂとの位置関係を調整することにより、使用者がおむつ１に触った時の感触が異なるようにしている。具体的には、吸収性本体１０の縦方向の一端側端部と腹側帯部材３０ａの縦方向の上縁部３０ａｅｔとの間の距離（図５ＡにおいてＡＵの縦方向長さ）が、吸収性本体１０の縦方向の他端側端部と背側帯部材３０ｂの縦方向の上縁部３０ｂｅｔとの間の距離（図５ＢにおいてＢＵの縦方向長さ）よりも小さくなるようにしている。この場合、背側帯部材３０ｂにおいては上縁部３０ｂｅｔから吸収性本体１０の上端部までの距離（ＢＵ）が長いため、使用者がおむつ１の胴回り開口１ＨＢの背側の端部領域を摘まもうとすると、背側帯部材３０ｂには触れるが吸収性本体１０には触れにくい。そのため、おむつ１の後側（背側）では背側帯部材３０ｂによる薄く柔らかい感触が使用者に伝わる。一方、腹側帯部材３０ａにおいては上縁部３０ａｅｔから吸収性本体１０の上端部までの距離（ＡＵ）が短いため、使用者がおむつ１の胴回り開口１ＨＢの腹側の端部領域を摘まもうとすると、腹側帯部材３０ａと共に吸収性本体１０に触れやすくなる。そのため、おむつ１の前側（腹側）では腹側帯部材３０ａ及び吸収性本体１０（吸収性コア１１）の感触が使用者に伝わり、厚くてやや硬い手触りとなる。
【００７１】
このように、吸収性本体１０と帯部材３０ａ,３０ｂとの位置関係を調整することよりおむつ１の感触が前後で異なるようにすることで、視認による前後判断だけではなく手触りによっても前後判断を行いやすくしている。なお、上述の例ではＡＵの縦方向長さがＢＵの縦方向長さよりも短くなるようにしていたが（ＡＵ＜ＢＵ）、逆にＡＵの縦方向長さがＢＵの縦方向長さよりも長くなるようにしても（ＡＵ＞ＢＵ）同等の効果を得ることが可能である。ただし、ＡＵ＜ＢＵとすることにより、吸収性本体１０が着用者の腹側（前側）を覆う面積が広くなることから、尿をより吸収しやすくすることができる。
【００７２】
また、本実施形態のおむつ１では、おむつ着用時において後処理テープ５０によって臀部側の肌触りに違和感を生じるのを抑制することができる。おむつ１では、背側帯部材３０ｂと吸収性本体１０との縦方向における重なり部（図３におけるＢＤ）が大きい。これにより、背側帯部材３０ｂの非肌側表面に固定されている後処理テープ５０の位置も厚さ方向において吸収性コア１１の位置と重なりやすくなる。着用者がおむつ１を着用する際には、着用者の肌（臀部）と後処理テープ５０との間に厚さ方向に厚みのある吸収性コア１１が存在するため、該吸収性コア１１がクッションとして機能することで、後処理テープ５０の感触を着用者の肌（臀部）に伝えにくく、違和感を生じるのが抑制される。
【００７３】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【００７４】
上述の実施形態では、腹側帯部材３０ａの下部領域ＡＤの横方向中央部ＡＤｃにおいて弾性部材３５ａに切断箇所を設けることにより、同領域に伸縮性が作用しにくいようにしていた。そして、このような弾性部材の配置の一例として、図３に示すように、同中央部ＡＤｃのうちの横方向の両端部ＡＤｃｅ，ＡＤｃｅには、弾性部材３５ａが存在しているが、同中央部ＡＤｃのうちの横方向の中央部分ＡＤｃｃには、同弾性部材３５ａが存在していない構成を例示したが、何等これに限らない。
【００７５】
すなわち、下部領域ＡＤの中央部ＡＤｃの中央部ＡＤｃに弾性部材３５ａが非連続に配置されているのであれば、当該中央部ＡＤｃのうちの更に中央部分ＡＤｃｃに弾性部材３５ａが存在していても良い。図８は、その一例の説明用の概略平面図である。なお、同図８では、腹側帯部材３０ａのうちの非肌側の不織布３１を取り除いて、弾性部材３５ａを外部露出した状態で示している。この図８の例では、中央部分ＡＤｃｃに位置する弾性部材３５ａは、複数の切断箇所を有し、それぞれが細かく分断された状態となっている。そして、かかる細切れ状態になっていれば、弾性部材３５ａは、中央部分ＡＤｃｃに対して概ね伸縮性を付与しなくなる。よって、このように細切れ状態の弾性部材３５ａであれば、中央部分ＡＤｃｃに存在していても構わない。細切れ状態の弾性部材３５ａの長さは、例えば０ｍｍよりも大きく５ｍｍ以下の長さとされ、より望ましくは、０ｍｍよりも大きく３ｍｍ以下の長さとされる。
【００７６】
上述の実施形態では、おむつ１を構成する吸収性本体１０等の各部材の「色」については説明されていなかったが、各部材の所定の箇所の色が変更されていてもよい。図９は、所定の箇所の色が変更された場合におけるおむつ１の一例を表す概略図である。図９では網掛け部ＦＬで表されるように、吸収性本体１０の腹側の縦方向上端部の色が変更されている。具体的には、吸収性本体１０を構成する部材のうち、厚さ方向の非肌側に設けられる裏面シート部材１５の縦方向上端部（腹側）の一部に、他の部位とは異なる色（例えば青色）で着色を施す。これにより、吸収性本体１０の上端部に沿った青色のラインが腹側帯部材３０ａを透かして見えるようになり、当該ラインが見える側がおむつ１の前側（腹側）であることを認識しやすくなる。なお、着色される「色」は上述のようなラインが認識しやすいよう目立つ色であることが望ましい。また、部材に対して着色を施すのではなく、色のついた部材を別途設けるようにしてもよい。例えば、上述の例において、着色された帯状の部材を裏面シート部材１５の縦方向上端部（腹側）に取り付けるようにしてもよい。また、吸収性本体１０の背側の縦方向上端部に腹側とは異なる色（例えばオレンジ色）を付して前後の色を変えることで、前後判断をしやすくしてもよい。
【００７７】
さらに、背側帯部材３０ｂに設けられる背側帯部材弾性体３５ｂの一部の色を変更してもよい。図９では、背側帯部材３０ｂの下部領域ＢＵに配置された背側帯部材弾性体３５ｂのうち、腹側帯部材３０ａと重ならない部分に配置されている背側帯部材弾性体３５ｂの色を、腹側帯部材３０ａに配置された腹側帯部材弾性体３５ａの色と異なる色としている。すなわち、腹側帯部材３０ａよりも縦方向下側にはみ出す部分に設けられている背側帯部材弾性体３５ｂの色を変更している。おむつ１を前側から見た場合、図９の斜線部で表されるように、横方向両端部（図５Ａにおけるはみ出し領域３０ｂｕに相当する領域）では背側帯部材弾性体３５ｂによる色が視認され、横方向中央部では吸収性本体１０の色が視認される。一方、おむつ１を後側から見た場合は、背側帯部材弾性体３５ｂによる色が背側帯部材３０ｂの縦方向下端部付近で横方向に連続した帯状の領域として視認される（不図示）。このようにしてもおむつ１の前後を明確に判断しやすくなる。
【００７８】
上述の実施形態では、外装シート１５ｂ及び腹側帯部材３０ａ，背側帯部材３０ｂの素材をそれぞれ不織布としていたが、何等不織布に限らない。例えば、織布でも構わないし、織布以外のシート部材でも構わない。ちなみに、外装シート１５ｂについては省略しても良く、その場合には、防漏シート１５ａが吸収性本体１０の外装をなすことになる。
【００７９】
上述の実施形態では、弾性部材３５として糸ゴムを例示したが、何等これに限らない。例えば、弾性部材３５として帯状のゴムを用いても良いし、伸縮性を有した帯状の不織布や、伸縮性を有した帯状の樹脂フィルムを用いても良い。
【符号の説明】
【００８０】
１  おむつ（吸収性物品）、１ＨＢ  胴回り開口、１ＨＬ  脚周り開口、
１０  吸収性本体、１０ｅａ  端部、１０ｅｂ  端部、
１０ｅｓ  端部、１０ｐ  部分、
１１  吸収性コア、
１１ａ  腹側端部、１１ｂ  背側端部、１１ｃ  くびれ部、
１３  表面シート部材、
１５  裏面シート部材、
１５ａ  防漏シート、１５ｂ  外装シート、
１５ｂｆ  はみ出した部分、１５ｂｇ  折り返された部分、
１７  脚周り弾性部材、１８  ＬＳＧ弾性部材、１９  脚周り補助弾性部材、
３０ａ  腹側帯部材、３０ａｃ  中央部、３０ａｃ２  部分、
３０ａｅｓ  側縁部、３０ａｅ２  端部、３０ａｅｔ  上縁部、
３０ｂ  背側帯部材、３０ｂｃ  中央部、３０ｂｃ２  部分、
３０ｂｅｓ  側縁部、３０ｂｅ２  端部、３０ｂｅｔ  上縁部、
３０ｂｕ  はみ出し領域、
３１  不織布、３２  不織布、
３５  弾性部材、
３５ａ  腹側帯弾性部材、３５ｂ  背側帯弾性部材、
４０  イラストシート、
５０  後処理テープ、
ＡＵ  上部領域、ＡＤ  下部領域、
ＡＤｃ  中央部、ＡＤｃｃ  中央部分、ＡＤｃｅ  端部、
ＡＤｅ  部分、
ＦＬ  網掛け部、
ＬＧ  脚回りギャザー、
ＬＳＧ  立体ギャザー（防漏壁部）、
ＬＳＧｂ  基端部、ＬＳＧｆ  自由端部分
【図１】
2015188501.tif 000003
【図２】
2015188501.tif 000004
【図３】
2015188501.tif 000005
【図４】
2015188501.tif 000006
【図５】
2015188501.tif 000007
【図６】
2015188501.tif 000008
【図７】
2015188501.tif 000009
【図８】
2015188501.tif 000010
【図９】
2015188501.tif 000011